(57)【特許請求の範囲】
【請求項１】
親機本体にヒンジで軸支されて前記ヒンジを中心に開閉自在に前記親機本体の前面を覆う親機外扉を備えた親機自動販売機と、子機本体の前面を覆い前後方向に引出し自在の子機外扉を備えた子機自動販売機とを左右に連結した自動販売機であって、前記子機自動販売機は、商品を前後方向にスパイラルに収納する商品収納部を上下複数段に備え、前記子機外扉を前方に引き出せば前記商品収納部が前記子機外扉とともに引き出されるように前記商品収納部を前記子機外扉に連結し、前記スパイラルが回転することで前記スパイラルに収納された商品が押し出されて子機商品取出口に搬送されるように構成し、前記親機外扉を開けたままで前記子機外扉を前方に引き出すことができ、前記親機外扉と前記子機外扉を両方とも開放したままで前記親機自動販売機と前記子機自動販売機のそれぞれの商品補充ができるように、前記子機自動販売機を前記親機自動販売機の前記ヒンジの反対側に連結したことを特徴とする自動販売機。
【請求項２】
親機自動販売機側に貨幣を投入する金銭投入口または電子マネーの金額データの読書きを行う読書き手段を集約配置したことを特徴とする請求項１に記載の自動販売機。
【請求項３】
子機自動販売機は親機自動販売機の高さに合わせて連結され、前記子機自動販売機の子機商品取出口は前記親機自動販売機の親機商品取出口よりも上方に配置したことを特徴とする請求項１または２に記載の自動販売機。
【請求項４】
子機自動販売機は親機自動販売機に吊下げて連結し、前記子機自動販売機の下方にスペースを形成したことを特徴とする請求項１から３のいずれか一項に記載の自動販売機。
【請求項５】
スペースには子機自動販売機または親機自動販売機で販売された商品のゴミを捨てるゴミ箱を設置することを特徴とする請求項４に記載の自動販売機。
【発明の詳細な説明】
【技術分野】
【０００１】
本発明は、親機自動販売機と子機自動販売機を併設した自動販売機に関するものである。
【背景技術】
【０００２】
従来、親子自動販売機を左右に併設したものとして、特許文献１に示されているようなものがある。
【０００３】
図５は特許文献１に記載された従来の親子自動販売機の斜視図である。
【０００４】
親機自動販売機１に並んで子機自動販売機Ａ２、子機自動販売機Ｂ３が設置されている。軸支された親機外扉４の軸支側に子機自動販売機Ａ２及び子機自動販売機Ｂ３が設置されているために親機外扉４を開放したとき、子機自動販売機Ａ２及び子機自動販売機Ｂ３の前面は親機外扉４で覆われてしまう構成となっている。
【特許文献１】特開昭６２−５５７９３号公報
【発明の開示】
【発明が解決しようとする課題】
【０００５】
しかしながら、上記従来の構成では、子機自動販売機の設置側に親機自動販売機の親機外扉を開閉する軸支部があるため、自動販売機管理者が親機自動販売機に商品を補充する場合に、親機外扉の開放によって子機自動販売機の前面が隠れてしまうため、利用者への販売促進が低下するという課題を有していた。
【０００６】
また、管理者が親機自動販売機と子機自動販売機の両方に商品補充する場合に、親機外扉と子機外扉の両方を同時に開けたままで、商品の補充ができないという課題を有していた。
【０００７】
本発明は、上記従来の課題を解決するもので、親子自動販売機の両方の扉を開けたままで商品補充を可能にし、また金銭の収集を容易にすると共に、親子自動販売機のデッドスペースを有効活用した自動販売機を提供することを目的とする。
【課題を解決するための手段】
【０００８】
上記従来の課題を解決するために、本発明の自動販売機は、親機本体にヒンジで軸支されて前記ヒンジを中心に開閉自在に前記親機本体の前面を覆う親機外扉を備えた親機自動販売機と、子機本体の前面を覆い前後方向に引出し自在の子機外扉を備えた子機自動販売機とを左右に連結した自動販売機であって、前記子機自動販売機は、商品を前後方向にスパイラルに収納する商品収納部を上下複数段に備え、前記子機外扉を前方に引き出せば前記商品収納部が前記子機外扉とともに引き出されるように前記商品収納部を前記子機外扉に連結し、前記スパイラルが回転することで前記スパイラルに収納された商品が押し出されて子機商品取出口に搬送されるように構成し、前記親機外扉を開けたままで前記子機外扉を前方に引き出すことができ、前記親機外扉と前記子機外扉を両方とも開放したままで前記親機自動販売機と前記子機自動販売機のそれぞれの商品補充ができるように、前記子機自動販売機を前記親機自動販売機の前記ヒンジの反対側に連結したものである。
【０００９】
これによって、親機外扉を開けたままで子機外扉を前方に引き出すことができ、子機外扉を前方に引き出せば子機自動販売機の商品収納部も一緒に引き出されるので、親機外扉と子機外扉を両方とも開放したままで、それぞれの商品補充を可能とし、自動販売機管理者の補充作業やメンテナンスを効率よく行うことができるので、販売機会を促進することができる。
【発明の効果】
【００１０】
本発明の自動販売機は、親子機自動販売機を併設した場合に、親機外扉を開けたままで子機外扉を前方に引き出すことができ、子機外扉を前方に引き出せば子機自動販売機の商品収納部も一緒に引き出されるので、親機外扉と子機外扉の両方を開放した状態で、同時に補充作業やメンテナンスを効率よく行うことができる。
【発明を実施するための最良の形態】
【００１１】
請求項１に記載の発明は、親機本体にヒンジで軸支されて前記ヒンジを中心に開閉自在に前記親機本体の前面を覆う親機外扉を備えた親機自動販売機と、子機本体の前面を覆い前後方向に引出し自在の子機外扉を備えた子機自動販売機とを左右に連結した自動販売機であって、前記子機自動販売機は、商品を前後方向にスパイラルに収納する商品収納部を上下複数段に備え、前記子機外扉を前方に引き出せば前記商品収納部が前記子機外扉とともに引き出されるように前記商品収納部を前記子機外扉に連結し、前記スパイラルが回転することで前記スパイラルに収納された商品が押し出されて子機商品取出口に搬送されるように構成し、前記親機外扉を開けたままで前記子機外扉を前方に引き出すことができ、前記親機外扉と前記子機外扉を両方とも開放したままで前記親機自動販売機と前記子機自動販売機のそれぞれの商品補充ができるように、前記子機自動販売機を前記親機自動販売機の前記ヒンジの反対側に連結したものであり、親機外扉を開けたままで子機外扉を前方
に引き出すことができ、子機外扉を前方に引き出せば子機自動販売機の商品収納部も一緒に引き出されるので、親子機自動販売機の両方の外扉を開放したままで、同時に商品補充やメンテナンスを効率よく行うことができる。
【００１３】
請求項２に記載の発明は、請求項１に記載の発明において、親機自動販売機側に貨幣を投入する金銭投入口または電子マネーの金額データの読書きを行う読書き手段を配置したものであり、親機側に金銭関係を集約したので、管理者が金銭処理を行う場合は、親機自動販売機側の外扉を開放するだけで、金銭処理を行うことができるので、金銭回収の効率化と防盗性を高めることができる。
【００１４】
請求項３に記載の発明は、請求項１または２に記載の発明にさらに、子機自動販売機は親機自動販売機の高さに合わせて連結され、前記子機自動販売機の子機商品取出口は前記親機自動販売機の親機商品取出口よりも上方に配置したものであり、子機自動販売機は親機自動販売機で販売する商品に対して補助的な商品を販売するため、子機自動販売機で販売する商品まで、利用者がしゃがんで取り出さなくてもいいように立ち姿勢のままで取り出すことができる。
【００１５】
請求項４に記載の発明は、請求項１から３のいずれか一項に記載の発明にさらに、子機自動販売機は親機自動販売機に吊下げて連結し、前記子機自動販売機の下方にスペースを形成したものであり、子機自動販売機をコンパクトに構成することで、スペースを有効活用することができる。
【００１６】
請求項５に記載の発明は、請求項４に記載の発明にさらに、スペースには子機自動販売機または親機自動販売機で販売された商品のゴミを捨てるゴミ箱を設置するものであり、親機または子機自動販売機で販売した商品から発生するゴミを回収できるので、親子自動販売機の周辺環境を向上することができる。
【００１７】
以下、本発明の実施の形態について、図面を参照しながら説明する。なお、この実施の形態によってこの発明が限定されるものではない。
【００１８】
（実施の形態１）
図１は、本発明の実施の形態１を示す自動販売機の正面図である。図２は子機自動販売機の斜視図である。図３は、実施の形態１の親機と子機自動販売機の扉を開放した斜視図である。図４はゴミ箱を配置した自動販売機の正面図である。
【００１９】
図１、図２において、親機自動販売機５は、内部に複数の商品収納室６を収納した親機本体７と親機本体７の前面を開閉自在に軸支した親機外扉８を備えている。親機外扉８は親機本体７にヒンジ９で軸支され、親機外扉８はヒンジ９を中心に開閉自在に形成されている。
【００２０】
また、親機外扉８の上部に商品サンプル展示室１０、商品サンプル展示室１０に構成され、商品を選択するための選択ボタン１０ａ、その商品サンプル展示室１０の下方に商品の広告などを掲示する広告パネル室１１と貨幣を投入する金銭投入口１２および携帯端末などの非接触端末の電子マネーによる決済が可能な金額データの読書きを行う読書き手段１３が横並びに備えられている。
【００２１】
また、金銭投入口１２や読書き手段１３の下部には、利用者が選択した商品をしゃがみ姿勢で取り出す商品取出口１４が備えられている。
【００２２】
また、子機自動販売機１５は、親機外扉８のヒンジ９の反対側に連結されており、内部に上下複数の商品収納部１６を収納した子機本体１７と、商品収容部１６と連結された子機外扉１８と、子機本体１７と商品収納部１６を接続し、商品収納部１６を前後方向に可動させるスライド機構１９と、子機外扉１８に子機商品サンプル展示部２０、子機商品サンプル展示部２０に構成され、商品を選択するための子機選択ボタン２０ａと、その子機選商品サンプル展示部２０の下方に商品を取り出す子機商品取出口２１が備えなれている。
【００２３】
また、商品収納部１６は、商品を販売時に搬送する搬送モータ１６ａと、搬送モータ１６ａと接続され販売待機時には商品を保持し、販売時には搬送モータ１６ａの回転によって商品が搬送されるスパイラル１６ｂを備えている。
【００２４】
図３、図４において、親機外扉８の庫内下部に販売及び動作を制御する制御部２２と子機自動販売機１５の下方に配置され、販売した商品から発生したゴミを回収できるゴミ箱２３を備えている。
【００２５】
以上のように構成された自動販売機について、以下その動作、作用を説明する。
【００２６】
親機自動販売機５において商品を販売する場合には、金銭投入口１２に金銭を投入はまたは読書き手段１３に非接触端末をかざし、選択ボタン１０ａを押すことで商品が商品取出口１４に搬出されるように制御部２２において制御されている。
【００２７】
また、子機自動販売機１５において商品を販売する場合には、親機自動販売機５の金銭投入口１２に金銭を投入はまたは読書き手段１３に非接触端末をかざし、子機選択ボタン２０ａを押すことで搬送モータ１６ａが回転し、スパイラル１６ｂも同期して回転するが、スパイラル１６ｂが回転することでスパイラル１６ｂに収納された商品が搬送モータ１６ａと逆方向に移動することで商品が押し出されて、子機商品取出口２１に搬送されるように制御部２２において制御される。
【００２８】
次に商品の補充をする場合には、子機を親機外扉８のヒンジ９の反対側に連結しているので親機自動販売機５の親機外扉８を開けたまま、子機自動販売機１５の子機外扉１８を前方に引き出すことが可能となり、商品収納室６及び商品収納部１６の商品を同時に補充することができる。
【００２９】
また、メンテナンスにおいては、制御部２２を操作しながら子機自動販売機１５の商品収納部１６の販売動作を確認したい場合があるが、親機外扉８を開けたまま、子機外扉１８を前方に引き出すことが可能となるため、メンテナンス性も向上させることができる。
【００３０】
また、子機自動販売機１５の子機外扉１８と商品収納部１６を接続しているため、子機外扉１８を前方に引き出せば商品収納部１６も一緒に引き出され、商品の補充作業を効率よく行うことが可能となる。子機外扉１８と商品収納部１６を一体化しているため低コストで構成することも可能となる。
【００３１】
また、親機自動販売機５に金銭投入口１２及び読書き手段１３等の金銭関係を集約したため、管理者が金銭処理を行う場合には、親機自動販売機５の親機外扉８を開放するだけで、金銭処理を行うことができるので、金銭回収の効率化と防盗性を高めることが可能となる。
【００３２】
また、子機自動販売機１５の子機商品取出口２１を親機自動販売機５の商品取出口１４よりも上方に配置することで、利用者がしゃがんで商品を取り出さなくてもいいように立ち姿勢のままで商品を取り出すことが可能となる。
【００３３】
また、子機自動販売機１５は親機自動販売機５に吊下げて連結し、子機自動販売機１５をコンパクトに構成することで、子機自動販売機１５の下方にスペースを確保でき、このスペースに子機自動販売機１５で販売した商品から発生するゴミを回収できるゴミ箱２３を配置することが可能となり、親子機自動販売機の周辺環境を向上させることが可能となる。言いかえれば、親機自動販売機５の商品から発生するゴミを回収するゴミ箱２３はすでに市場で設置されている親機自動販売機５の横に設置されている場合がほとんどであり、そのゴミ箱２３の上部はデットスペースになっている。このデットスペースに子機自動販売機１５を設置することが可能となるため、新たに設置するためのスペースを確保する必要がなくなることで、親機自動販売機５を設置済みのロケーションでも子機自動販売機１５を設置しやすくなる。
【００３４】
また、本実施の形態では、子機自動販売機１５の商品収納部１６と子機外扉１８とを接続させていたが、子機外扉１８を子機本体１７とヒンジ９等で軸支し、商品収納部１６のみを前方に引き出すことも可能である。
【００３５】
また、本実施の形態では、親機自動販売機５の親機外扉８と子機自動販売機１５の子機外扉１８がそれぞれ独立して開閉できるように構成していたが、子機外扉１８に親機外扉８をオーバーラップさせて構成することで、子機外扉１８を開ける場合には、親機外扉８を開けてから子機外扉１８を開け、子機外扉１８を閉める場合には、子機外扉１８を閉めてから親機外扉８を閉めるようになり、子機外扉１８の鍵構造が不要となり、コストダウンを図ることが可能である。
【００３６】
また、本実施の形態では、金銭処理機能を親機自動販売機５に集約していたが、子機自動販売機５に親機とは独立した金銭処理機能を搭載することも可能である。
【００３７】
また、本実施の形態では、子機自動販売機１５をコンパクトに構成して、下方にゴミ箱２３を配置していたが、子機自動販売機１５を床面までのばし、子機自動販売機１５の下部にゴミ箱２３を収納して、一体型としたり、予備の販売商品の収納庫として利用することも可能である。
【００３８】
また、本実施の形態では、子機自動販売機１５の商品搬送機構を搬送モータ１６ａとスパイラル１６ｂで構成していたが、ベルト等のその他の搬送方式で構成することも可能である。
【産業上の利用可能性】
【００３９】
以上のように、本発明にかかる親子自動販売機は、補充作業やメンテナンスを効率よく行うことができるので、あらゆる種類の親子自動販売機に適用することができる。
【図面の簡単な説明】
【００４０】
【図１】本発明の実施の形態１による自動販売機の正面図
【図２】本発明の実施の形態１による子機自動販売機の斜視図
【図３】本発明の実施の形態１による親機と子機自動販売機の扉を開放した斜視図
【図４】本発明の実施の形態１によるゴミ箱を配置した自動販売機の正面図
【図５】従来の自動販売機の斜視図
【符号の説明】
【００４１】
５    親機自動販売機
６    商品収納室
７    親機本体
８    親機外扉
９    ヒンジ
１２  金銭投入口
１３  読書き手段
１４  商品取出口
１５  子機自動販売機
１６  商品収納部
１７  子機本体
１８  子機外扉
２１  子機商品取出口
２３  ゴミ箱
【図１】
0005206014.tif 000002
【図２】
0005206014.tif 000003
【図３】
0005206014.tif 000004
【図４】
0005206014.tif 000005
【図５】
0005206014.tif 000006